(57)【要約】【課題】遊技台の利用者の行動を正確に認識することができる移動監視カメラを提供する。【解決手段】移動監視カメラ１を各島２の上方位置に配置し、移動監視カメラ１に備えられた複数のカメラ本体４をレール５に沿って移動させることで、遊技台３の利用者や玉替え機や両替機などの利用者の行動を近くで撮影した映像・画像データを取得できるようにする。これにより、正確に不正行為の監視を行うことが可能となる。【選択図】図１
0003126302.tif 000002
【実用新案登録請求の範囲】
【請求項１】
パチンコホールにおいて複数の遊技台（３）が並べられた島（２）のうち、前記複数の遊技台（３）よりも上方において水平方向に延設され、前記島（２）のうち前記複数の遊技台（３）が並べられた面から側面にかけて連続するように構成されたレール（５）と、
前記レール（５）に沿ってスライドし、映像もしくは画像データを入力するカメラ本体（４）と、
前記レール（５）に沿って延設され、前記カメラ本体（４）を覆うように構成されたカバー（６）と、
前記カメラ本体（４）を前記レール（５）に沿ってスライドさせることで、前記カメラ本体（４）の位置調整を行うと共に、前記カメラ本体（４）の映像もしくは画像データの入力を制御するカメラ個別制御ユニット（７）と、を備えていることを特徴とするパチンコホール用移動監視カメラ。
【請求項２】
前記レール(５）および前記カバー（６）は、前記島（２）の外縁を一周するように囲む円筒状を為していることを特徴とする請求項１に記載のパチンコホール用移動監視カメラ。
【請求項３】
前記カメラ本体（４）は複数個備えられていることを特徴とする請求項２に記載のパチンコホール用移動監視カメラ。
【請求項４】
前記レール（５）および前記カバー（６）は、前記島（２）の外縁の一部を囲む半円筒状をなしており、前記レール（５）および前記カバー（６）が２つずつ備えられると共に、２つの前記レール（５）および前記カバー（６）のそれぞれに対して前記カメラ本体（４）が配置されることで、前記島（２）の外縁が囲まれていることを特徴とする請求項１に記載のパチンコホール用移動監視カメラ。
【請求項５】
前記カメラ本体（４）は、２つの前記レール（５）および前記カバー（６）のそれぞれに対して複数個ずつ備えられていることを特徴とする請求項４に記載のパチンコホール用移動監視カメラ。
【請求項６】
前記カバー（６）は、前記カメラ本体（４）から該カバー（６）の外側の視認が行え、該カバー（６）の外側から前記カメラ本体（４）側の視認が行えないマジックミラーとされていることを特徴とする請求項１ないし５のいずれか１つに記載のパチンコホール用移動監視カメラ。
【請求項７】
前記カバー（６）は、前記カメラ本体（４）から該カバー（６）の外側の視認が行え、かつ、該カバー（６）の外側から前記カメラ本体（４）側の視認も行える透明若しくは半透明とされていることを特徴とする請求項１ないし５のいずれか１つに記載のパチンコホール用移動監視カメラ。
【請求項８】
前記カメラ本体（４）には、該カメラ本体（４）が入力した映像もしくは画像データを無線通信により送信する無線ＬＡＮモジュール（８）を備えていることを特徴とする請求項１ないし７のいずれか１つに記載のパチンコホール用移動監視カメラ。
【請求項９】
前記島（２）内に配置され、前記カメラ個別制御ユニット（７）に対して前記カメラ本体（４）による映像もしくは画像データの入力を指示する信号および前記カメラ本体（４）の位置調整を制御する信号を送るカメラ制御ユニット（１０）を備えていることを特徴とする請求項１ないし８のいずれか１つに記載のパチンコホール用移動監視カメラ。
【請求項１０】
請求項１ないし９のいずれか１つに記載のパチンコホール用移動監視カメラを備えていると共に、
前記カメラ本体（４）での映像もしくは画像データの入力の制御および前記カメラ本体（４）の位置調整を制御に用いられる情報を出力するカメラシステム通信サーバ（１４）と、
前記カメラ本体（４）の入力した映像もしくは画像データを受け取り、保持するカメラシステムファイルサーバ（９）とを備えていることを特徴とする監視システム。
【考案の詳細な説明】
【技術分野】
【０００１】
本考案は、パチンコホールにおいて、利用者の不正行為の監視などを行うためのパチンコホール用移動監視カメラ（以下、単に移動監視カメラという）およびそれを用いた監視システムに関するものである。
【背景技術】
【０００２】
従来より、パチンコホールでは、利用者の不正行為の監視などを行うために、監視カメラを設置している。そして、監視範囲を広範囲にするために、例えば天井に監視カメラを配置し、監視カメラのカメラ本体が天井に設置したレール上を移動できるようにした移動監視カメラが提案されている（例えば、特許文献１参照）。
【特許文献１】特開２００２−０２７４３５号公報
【考案の開示】
【考案が解決しようとする課題】
【０００３】
しかしながら、従来の移動監視カメラのように天井にレールを設置したものでは、天井から遊技台までの距離が離れていると利用者の行動を正確に認識することができないなどの問題がある。
【０００４】
また、天井に配置した移動監視カメラのカメラ本体がレールを動くときにその動作が目に入って利用者の遊技を阻害したりする可能性があるものの、その動きが利用者の目に入っても利用者にとって監視カメラが遠いために監視カメラによって監視されているという注意喚起に伴う不正行為の抑制効果を十分に発揮できない。
【０００５】
さらに、遊技台の利用者に関しては監視カメラで認識するようにしているが、島の側方に配置された玉替え機や両替機などの利用者に関しては監視カメラで認識しておらず、これらの利用者を認識するためには別途監視カメラを設置しなければならない。
【０００６】
本考案は上記点に鑑みて、遊技台の利用者の行動を正確に認識することができる移動監視カメラを提供することを第１の目的とする。
【０００７】
また、移動監視カメラのカメラ本体の動きが利用者の遊技を阻害しないような移動監視カメラを提供することを第２の目的とする。
【０００８】
また、移動監視カメラのカメラ本体の動きが利用者の目に入る場合に、その動きによって利用者に注意喚起ができ、不正行為の抑制効果が得られるような移動監視カメラを提供することを第３の目的とする。
【０００９】
さらに、遊技台の利用者だけでなく、他の機械等の利用者の行動も監視できる移動監視カメラを提供することを第４の目的とする。
【課題を解決するための手段】
【００１０】
上記目的を達成するため、本考案では、パチンコホールにおいて複数の遊技台（３）が並べられた島（２）のうち、複数の遊技台（３）よりも上方において水平方向に延設され、島（２）のうち複数の遊技台（３）が並べられた面から側面にかけて連続するように構成されたレール（５）と、レール（５）に沿ってスライドし、映像もしくは画像データを入力するカメラ本体（４）と、レール（５）に沿って延設され、カメラ本体（４）を覆うように構成されたカバー（６）と、カメラ本体（４）をレール（５）に沿ってスライドさせることで、カメラ本体（４）の位置調整を行うと共に、カメラ本体（４）の映像もしくは画像データの入力を制御するカメラ個別制御ユニット（７）と、を備えていることを特徴としている。
【００１１】
このように、移動監視カメラ（１）を島（２）の上方位置に配置し、移動監視カメラ（１）に備えられた複数のカメラ本体（４）をレール（５）に沿って移動させることで、遊技台（３）の利用者や玉替え機や両替機などの利用者の行動を近くで撮影した映像もしくは画像データを取得できるため、正確に不正行為の監視を行うことが可能となる。
【００１２】
例えば、レール(５）およびカバー（６）に関しては、島（２）の外縁を一周するように囲む円筒状を為した構造とすることができる。そして、移動監視カメラ（１）に対してカメラ本体（４）を複数個備えることができる。なお、この場合、島（２）の外縁を一周回転するようにカメラ本体（４）を移動させられるため、カメラ本体（４）が入力した映像もしくは画像データを無線通信により送信する無線ＬＡＮモジュール（８）を備えるようにすると好ましい。
【００１３】
また、レール（５）およびカバー（６）に関しては、島（２）の外縁の一部を囲む半円筒状とすることができ、レール（５）およびカバー（６）を２つずつ備えると共に、２つのレール（５）およびカバー（６）のそれぞれに対してカメラ本体（４）を配置することで、島（２）の外縁を囲むことができる。この場合、２つのレール（５）およびカバー（６）のそれぞれに対して複数個ずつカメラ本体（４）を備えることができる。
【００１４】
さらに、本考案の第１の特徴において、カバー（６）を、カメラ本体（４）から該カバー（６）の外側の視認が行え、該カバー（６）の外側からカメラ本体（４）側の視認が行えないマジックミラーとすることができる。
【００１５】
このようにすれば、カメラ本体（４）の動きが遊技台（３）の利用者等の目に入らないようにできる。このため、カメラ本体（４）の動きが利用者の遊技を阻害することを防止することができる。
【００１６】
逆に、本考案の第１の特徴において、カバー（６）を、カメラ本体（４）から該カバー（６）の外側の視認が行え、かつ、該カバー（６）の外側からカメラ本体（４）側の視認も行える透明若しくは半透明とすることもできる。
【００１７】
このようにすれば、従来のように移動監視カメラを天井に配置している場合と比べて、利用者からより近い位置に移動監視カメラがあるため、カメラ本体（４）の動きにより利用者に注意を喚起することが可能となり、利用者による不正行為の抑制効果を十分に発揮させることが可能となる。
【００１８】
なお、カメラ本体（４）による映像もしくは画像データの入力やカメラ本体（４）の位置調整の制御に関しては、例えば、島（２）内に配置され、カメラ個別制御ユニット（７）に対してカメラ本体（４）による映像もしくは画像データの入力を指示する信号およびカメラ本体（４）の位置調整を制御する信号を送るカメラ制御ユニット（１０）を備えることで行うことができる。
【００１９】
以上では、本考案を移動監視カメラとして把握しているが、移動監視カメラを備えた監視システムとして把握することもできる。この場合、例えば、上述した移動監視カメラに加えて、カメラ本体（４）での映像もしくは画像データの入力の制御およびカメラ本体（４）の位置調整を制御に用いられる情報を出力するカメラシステム通信サーバ（１４）と、カメラ本体（４）の入力した映像もしくは画像データを受け取り、保持するカメラシステムファイルサーバ（９）とを備えた構成により、監視システムを構成することができる。
【００２０】
なお、上記各手段の括弧内の符号は、後述する実施形態に記載の具体的手段との対応関係を示すものである。
【考案を実施するための最良の形態】
【００２１】
（第１実施形態）
以下、本考案の一実施形態を適用した移動監視カメラおよびそれを用いた監視システムについて説明する。図１は、移動監視カメラ１が設置された島２の斜視図、図２は、移動監視カメラ１の部分断面図である。図３は、移動監視カメラ１を用いた監視システムの概略構成を示した模式図である。以下、これらの図を参照して監視システムについて説明する。なお、本監視システムでは、すべての通信をＴＣＰ（Transmission Control Protocol）／ＩＰ（Internet Protocol）通信にて行っているため、以下の説明中の通信とはＴＣＰ／ＩＰ通信を意味しているものとする。
【００２２】
図１に示すように、複数の遊技台が設置された島２の上方位置、具体的にはパチンコ台やスロット台などの複数の遊技台３よりも上方において、島２の上部の外縁を囲むように移動監視カメラ１が設置されている。この移動監視カメラ１は環状（円筒状）で、複数の遊技台３が設置された面およびその側面においては直線状、島２の四隅（角部）においては丸みを帯びた形状とされている。なお、島２の側面に関しては図示していないが、例えば玉替え機や両替機等が配置される。
【００２３】
この移動監視カメラ１は、図２に示すように、複数のカメラ本体４と、カメラ本体４が移動するためのレール５と、カメラ本体４を覆うカバー６とが備えられている。各カメラ本体４には、図３に示すように、カメラ本体４の動きを制御するためのカメラ個別制御ユニット７とカメラ個別制御ユニット７に備えられた無線ＬＡＮモジュール８が設置されている。
【００２４】
カメラ本体４は、下方を撮影対象として映像・画像入力を行うものであり、図１に示すように、複数個（ｎ台）設置されている。このカメラ本体４は、レール５に沿って島２を水平方向に移動できるように構成されている。また、レール５は、カメラ本体４を上下方向両側（レール５の幅方向両側）において保持すると共に、レール５内においてカメラ本体４をスライドさせるためのものである。レール５は島２の外縁を囲むような環状とされているが、島２の四隅に位置する部位は上述したように丸みを帯びた形状とされており、カメラ本体４のスライドが円滑に行えるように、できるだけ曲率半径を大きくしてある。このようにレール５が環状とされているため、カメラ本体４はレール５に沿って左右の往復移動もできるし、島２の外縁全域を回転するような移動もできるようになっている。
【００２５】
なお、カメラ本体４やレール５の構造自体は従来より公知となっているものであり、本考案では移動監視カメラ１の全体構造や移動監視カメラ１と島２との組み合わせ構造が特徴となるものであるため、これらカメラ本体４やレール５の詳細構造に関しての説明は省略する。
【００２６】
カバー６は、本実施形態では、カメラ本体４側からカバー６の外側は視認可能であるが、カバー６の外側からカメラ本体４側は視認できないようなマジックミラー構造となっている。このため、カメラ本体４から遊技台３の利用者の映像・画像入力を行うことは可能であるが、利用者にはカメラ本体４の動きが見えないようになっている。
【００２７】
カメラ個別制御ユニット７は、カメラ本体４の動作を制御するものであり、カメラ本体４による映像・画像入力の制御やレール５上での移動の制御を行うと共に、カメラ本体４から取得した映像・画像データを受け取り、その映像・画像データを無線ＬＡＮモジュール８を通じて後述するカメラシステムファイルサーバ９に送信する役割を果たす。カメラ個別制御ユニット７では、常に自機の位置情報を把握・保持し、その位置情報を無線ＬＡＮモジュール８を通じて後述するカメラ制御ユニット１０に提供している。なお、ここではカメラ本体４のカメラ自体が固定式のものとして説明するが、カメラ自体が角度調整可能な可動式のものである場合には、このカメラ個別制御ユニット７によりその角度調整も行う。
【００２８】
また、カメラ個別制御ユニット７に備えられた無線ＬＡＮモジュール８は、カメラ本体４で入力した映像・画像データを無線通信により後述する無線ＬＡＮアクセスポイント１１に出力したり、後述するカメラ制御ユニット１０等からの誘導信号を受け取ったりするものである。
【００２９】
なお、移動監視カメラ１の電源としては、外部電源ユニット１２が用いられており、外部電源ユニット１２からの電力供給がレール５を通じて行えるようになっている。
【００３０】
さらに、移動監視カメラ１には、カメラ制御ユニット１０が備えられている。カメラ制御ユニット１０には、無線ＬＡＮモジュール１３が備えられており、無線ＬＡＮモジュール１３を介して他の部品との通信が行えるようになっている。
【００３１】
また、カメラ制御ユニット１０は、無線ＬＡＮモジュール１３を通じてカメラシステム通信サーバ１４と無線通信を行うことで、各カメラ本体４を制御するために必要なデータを取得し、そのデータの結果に基づいてカメラ本体４を制御したり、カメラ個別制御ユニット７からリアルタイムに取得する位置情報に基づいて、島２内に備えられたすべてのカメラ個別制御ユニット７の位置を管理し、制御する。
【００３２】
一方、図３に示すように監視システムには、上述した移動監視カメラ１に加えて、各遊技台３に取り付けられた各台基板１５、島ＣＰＵ１６、ホールコンピュータ１７、カメラシステム通信サーバ１４、スイッチングハブ１８、カメラシステムファイルサーバ９、および、無線ＬＡＮアクセスポイント１１が備えられている。これらのうち、例えばホールコンピュータ１７、カメラシステム通信サーバ１４、カメラシステムファイルサーバ９およびスイッチングハブ１８はパチンコホール内の事務所に備えられている。
【００３３】
遊技台３は各島２に複数設置されている。各遊技台３には、図示しないがセーフセンサ、アウトセンサ、デジタル回転センサ、大当りセンサ、確率変動（以下、確変という）センサ等の各種センサが取り付けられており、これら各センサの検出信号が各台基板１５に出力される。
【００３４】
各台基板１５は、遊技台３ごとに取り付けられたものである。この各台基板１５は、各遊技台３の大当りに関する情報やセーフ、アウトに関する情報、すなわち遊技台３がパチンコ台である場合には、パチンコ玉の出玉（セーフ玉）、入玉（アウト玉）の情報、スロット台である場合には、投入したコイン枚数（イン枚数）、払い出されたコイン枚数（アウト枚数）に関する情報、さらには大当り情報、確変情報などを示す電気信号を各遊技台３に取り付けられた各種センサから得て、その電気信号をそのまま又は所定の形式の電気信号に変換して島ＣＰＵ１６に出力する。
【００３５】
島ＣＰＵ１６は、機種別に並べられた遊技台３の島２ごとに備えられている制御装置である。この島ＣＰＵ１６は、ＬＡＮを通じて各台基板１５からの各種情報を示す電気信号を受け取り、その各種情報をホールコンピュータ１７に送ると共に、その電気信号中に含まれた各遊技台３の大当りに関する情報やセーフ、アウトに関する情報に基づいて島２全体のセーフ、アウトの値を制御すべく、各台基板１５に対して各遊技台３のセーフ、アウトの制御用信号を出力するものである。
【００３６】
ホールコンピュータ１７は、ＣＰＵ、ＲＡＭ、ＲＯＭなどのメモリおよびＩ／Ｏなどを有する周知のマイクロコンピュータによって構成されている。このホールコンピュータ１７は、ＬＡＮを通じて各島ＣＰＵ１６からの電気信号を受け取り、それに基づく演算を行う等により、各遊技台３ごとに、遊技台３の状態（例えば大当り中である等）、累積セーフ、累積アウト、累積回転数、累積確変、累積大当、確変中大当などの各情報を得て、必要な情報をメモリ内に記憶させるなどにより、常にリアルタイムなデータを保持している。
【００３７】
カメラシステム通信サーバ１４は、ホールコンピュータ１７と常に通信を行うことで、リアルタイムなデータをカメラシステム用にフォーマットする。それと同時に、カメラシステム通信サーバ１４は、スイッチングハブ１８にてどの島２に備えられた無線ＬＡＮアクセスポイント１１を使用するかを選択し、無線ＬＡＮアクセスポイント１１を通じてカメラ制御ユニット１０と通信することで、カメラ本体４の制御に必要な情報をカメラ制御ユニット１０に配信している。
【００３８】
スイッチングハブ１８は、カメラシステム通信サーバ１４をどの島２に備えられた無線ＬＡＮアクセスポイント１１と接続するかのスイッチングを行うものである。このスイッチングハブ１８を通じて、カメラシステム通信サーバ１４を各島２に備えられた無線ＬＡＮアクセスポイント１１のうちのいずれか１つと接続できるようになっている。
【００３９】
カメラシステムファイルサーバ９は、カメラ個別制御ユニット７から送られてきた映像・画像データを判別可能な状態で保持するものである。ここでいう判別可能な状態とは、専用アプリケーションにて閲覧、および履歴の参照ができる状態ということを意味している。例えば、カメラシステムファイルサーバ９に直接ディスプレイなどを有したコンピュータを接続することで表示させることでカメラシステムファイルサーバ９で保持した映像・画像データを閲覧できるようにしても良いし、ホールコンピュータ１７側にその映像・画像データが送られるようにすることで、ホールコンピュータ１７に備えられるディスプレイにより表示させても良い。そして、このような表示をリアルタイムで行うようにすれば、管理者が常に利用者の不正行為を監視できるようにすることができる。
【００４０】
以上のようにして、移動監視カメラ１および移動監視カメラ１を備えた監視システムが構成されている。続いて、移動監視カメラ１および移動監視カメラ１を備えた監視システムの作動について説明する。
【００４１】
各台基板１５を通じて、各遊技台３に備えられた各種センサからの電気信号がそのまま又は所定の形式の電気信号に変換された後、各島ＣＰＵ１６に出力される。この電気信号に基づいて、各島ＣＰＵ１６が各種情報を収集し、ホールコンピュータ１７に出力する。これにより、ホールコンピュータ１７は、各島ＣＰＵ１６から受け取った電気信号に基づいて各種演算を行い、上述した様々な情報を得て、それをメモリ内に記憶させるなどにより、リアルタイムなデータを保持する。
【００４２】
一方、カメラシステム通信サーバ１４では、ホールコンピュータ１７との通信を行うことで、ホールコンピュータ１７に記憶されているリアルタイムなデータを取得し、それをカメラ制御用データにフォーマットして保持する。そして、このフォーマットしたカメラ制御用データをスイッチングハブ１８および無線ＬＡＮアクセスポイント１１を通じて出力する。これが無線ＬＡＮモジュール１３を介してカメラ制御ユニット１０に伝えられる。これに基づいて、カメラ制御ユニット１０が再び無線ＬＡＮモジュール１３を通じて誘導信号を出力し、無線ＬＡＮモジュール８を通じてカメラ個別制御ユニット７に伝えられる。
【００４３】
これにより、カメラ個別制御ユニット７がカメラ本体４の駆動系を制御し、カメラ本体４をレール５上で移動させることでカメラ本体４の位置調整を行い、適正位置に誘導する。このとき、カメラ個別制御ユニット７は常に自機の位置情報を把握・保持し、無線ＬＡＮモジュール８を通じてその位置情報をカメラ制御ユニット１０に提供する。また、カメラ個別制御ユニット７は、カメラ本体４が映像・画像入力を行うように制御し、カメラ本体４が入力した映像・画像データを取得すると共に、無線ＬＡＮモジュール８を通じてその映像・画像データをカメラシステムファイルサーバ９に送信する。
【００４４】
このような動作により、島２ごとに複数個備えられたカメラ本体４にて遊技台３の利用者の行動を正確に認識することができる映像・画像データを入手することができ、それをカメラシステムファイルサーバ９に送ることで、利用者の行動を監視することが可能となる。
【００４５】
以上説明したように、本実施形態では、移動監視カメラ１を各島２の上方位置に配置し、移動監視カメラ１に備えられた複数のカメラ本体４をレール５に沿って移動させることで、遊技台３の利用者や玉替え機や両替機などの利用者の行動を近くで撮影した映像・画像データを取得できるため、正確に不正行為の監視を行うことが可能となる。
【００４６】
また、本実施形態では、移動監視カメラ１にマジックミラータイプのカバー６を設け、カメラ本体４の動きが遊技台３の利用者等の目に入らないようにしている。このため、移動監視カメラ１のカメラ本体４の動きが利用者の遊技を阻害することを防止することができる。
【００４７】
また、本実施形態では、移動監視カメラ１を環状にし、島２のうちの遊技台３が並べられた面だけでなく、玉替え機や両替機などが配置される側面も監視できるようにしている。このため、遊技台３だけでなく他の機械等の利用者の行動も監視することが可能となる。そして、このような監視が島２の遊技台３の並べられた面と側面に別々に移動監視カメラ１を備えなくても１つの移動監視カメラ１のみによって行うことが可能となる。
【００４８】
なお、本実施形態の場合、移動監視カメラ１のカメラ本体４が環状に構成されたレール５に沿って例えば回転するように移動することが可能であるが、カメラ本体４で取得した映像・画像データを無線通信により無線ＬＡＮアクセスポイント１１に届けるようにしている。有線通信とした場合には、カメラ本体４が移動してもケーブルが絡まったりしないような複雑な構造を採用しなければならないが、このような無線通信とすることで、そのような複雑な構造を採用しなくても済むという効果も得られる。
【００４９】
（第２実施形態）
本考案の第２実施形態について説明する。図４は、本実施形態の移動監視カメラ１が設置された島２の斜視図である。なお、本実施形態では、移動監視カメラ１の構造以外、つまり監視システムの基本構造に関しては第１実施形態と同様であるため、第１実施形態と異なる移動監視カメラ１についてのみ説明する。
【００５０】
図４に示すように、本実施形態では、移動監視カメラ１が半円筒状とされており、２つの移動監視カメラ１が組み合わされることで１つの島２の監視が行えるような形態とされている。各移動監視カメラ１のカメラ本体４の構造自体は第１実施形態と同様であるが、レール５およびカバー６が半円筒状とされることで、図４に示すように移動監視カメラ１が半円筒状とされている。そして、各移動監視カメラ１にカメラ本体４が複数個ずつ備えられている。
【００５１】
このような構造の移動監視カメラ１であっても、第１実施形態と同様の効果を得ることができる。ただし、移動監視カメラ１が２つとなるため、１つの移動監視カメラ１によって島２全域を監視することはできないとも言えるが、第１実施形態に対してレール５およびカバー６を２分割しただけの構造であり、島２内部に備えられるカメラ制御ユニット１０や無線ＬＡＮアクセスポイント１１などに関しては共通化させられるため、実質的に１つの移動監視カメラ１と同様簡素な構造とすることが可能である。
【００５２】
（他の実施形態）
上記各実施形態では、各カメラ本体４に備えられたカメラ個別制御ユニット７と無線ＬＡＮアクセスポイント１１やカメラ制御ユニット１０との通信を無線通信によって行う例を挙げて説明したが、有線通信としても構わない。ただし、この場合、上述したように、カメラ本体４が移動してもケーブルが絡まったりしないような構造を採用する必要が有る。
【００５３】
また、上記各実施形態では、通信形式としてＴＣＰ／ＩＰ通信を採用した例を挙げているが、勿論、他の形式であっても構わない。
【００５４】
また、上記実施形態では、各島２に備えられる移動監視カメラ１を考案として捉えたものを説明したが、各島２をパチンコホール内に建設する前において、各島２の構造部品と移動監視カメラ１とをユニットとして把握することもできる。
【００５５】
さらに、上記各実施形態では、移動監視カメラ１に備えられるカバー６をマジックミラーのようなもので構成し、利用者からカメラ本体４の動きが確認できないような構成としたが、透明もしくは半透明の材質でカバー６を構成し、利用者からカメラ本体４の動きが確認できるようにしても良い。このようにすれば、従来のように移動監視カメラを天井に配置している場合と比べて、利用者からより近い位置に移動監視カメラ１があるため、カメラ本体４の動きにより利用者に注意を喚起することが可能となり、利用者による不正行為の抑制効果を十分に発揮させることが可能となる。
【図面の簡単な説明】
【００５６】
【図１】本考案の第１実施形態における移動監視カメラが設置された島の斜視図である。
【図２】移動監視カメラの部分断面図である。
【図３】移動監視カメラを用いた監視システムの概略構成を示した模式図である。
【図４】本考案の第２実施形態の移動監視カメラが設置された島の斜視図である。
【符号の説明】
【００５７】
１…移動監視カメラ、２…島、３…遊技台、４…カメラ本体、５…レール、６…カバー、７…カメラ個別制御ユニット、８…無線ＬＡＮモジュール、９…カメラシステムファイルサーバ、１０…カメラ制御ユニット、１１、１３…無線ＬＡＮアクセスポイント、１２…外部電源ユニット、１４…カメラシステム通信サーバ、１５…各台基板、１６…島ＣＰＵ、１７…ホールコンピュータ、１８…スイッチングハブ。
【図１】
0003126302.tif 000003
【図２】
0003126302.tif 000004
【図３】
0003126302.tif 000005
【図４】
0003126302.tif 000006